(57)【要約】【課題】収納室から素早く容易に、内視鏡の挿入部全体を取り出すことができる構成を有する収納ケースを提供する。【解決手段】収納室３を有するケース本体１と、収納室３に回動自在に設けられた、収納室３に収納された挿入部１３が外周面４ｇに巻回される回動体４と、収納室３において回動体４の外周面４ｇと該外周面４ｇに対向するケース本体１の壁面１ｎとの間に設けられた、回動体４の外周面４ｇに巻回された挿入部１３が位置する空隙６と、ケース本体１に設けられた、内視鏡１０の内、少なくとも回動体４の外周面４ｇに巻回された挿入部１３全体を、収納室３の空隙６から一度にケース本体１外に取り出す用の挿入部取り出し溝５と、を具備したことを特徴とする。【選択図】図１
2011143016.tif 000002
【特許請求の範囲】
【請求項１】
少なくとも内視鏡の挿入部が収納室に収納自在な収納ケースであって、
前記収納室を有するケース本体と、
前記収納室に回動自在に設けられた、前記収納室に収納された前記挿入部が外周面に巻回される回動体と、
前記収納室において前記回動体の前記外周面と該外周面に対向する前記ケース本体の部位との間に設けられた、前記回動体の前記外周面に巻回された前記挿入部が位置する空隙と、
前記ケース本体に設けられた、前記内視鏡の内、少なくとも前記回動体の前記外周面に巻回された前記挿入部全体を、前記収納室の前記空隙から一度に前記ケース本体外に取り出す用の挿入部取り出し手段と、
を具備したことを特徴とする収納ケース。
【請求項２】
前記ケース本体に対して開閉自在な外蓋をさらに具備していることを特徴とする請求項１に記載の収納ケース。
【請求項３】
前記挿入部取り出し手段は、前記ケース本体外から前記挿入部全体を把持可能とする、前記ケース本体に設けられた、前記空隙に連通する取り出し溝であることを特徴とする請求項１または２に記載の収納ケース。
【請求項４】
前記回動体の前記外周面は、低摩擦部材から構成されていることを特徴とする請求項１〜３のいずれか１項に記載の収納ケース。
【請求項５】
前記回動体の前記外周面は、該外周面に対向する前記ケース本体の部位よりも摩擦係数が低い部材から構成されていることを特徴とする請求項４に記載の収納ケース。
【請求項６】
前記空隙を平面視した状態における幅は、前記挿入部の径以上であって、前記挿入部の径の２倍以下に設定されていることを特徴とする請求項１〜５のいずれか１項に記載の収納ケース。
【請求項７】
前記回動体の前記ケース本体からの露出面は、前記ケース本体の露出面よりも突出して位置しており、
前記回動体の前記露出面と、前記ケース本体の前記露出面との間から、前記挿入部が前記回動体の外周面に巻回自在な構成を有していることを特徴とする請求項１〜６のいずれか１項に記載の収納ケース。
【請求項８】
前記回動体の前記露出面に、平面視した状態で前記回動体に前記空隙を加えた面積よりも平面方向に面積が大きい内蓋が着脱自在であり、
装着後の前記内蓋における前記回動体より前記平面方向外側に飛び出した部位は、前記回動体の前記外周面に巻回された前記挿入部の前記空隙からの飛び出しを規制することを特徴とする請求項７に記載の収納ケース。
【請求項９】
前記内蓋の前記ケース本体からの露出面に、前記回動体に装着された状態で前記回動体を回動させる用のハンドルが設けられていることを特徴とする請求項８に記載の収納ケース。
【請求項１０】
前記収納ケースに、更に前記挿入部の基端側に接続された操作部と、該操作部が接続された装置本体が収納自在であることを特徴とする請求項１〜９のいずれか１項に記載の収納ケース。
【請求項１１】
前記操作部及び前記装置本体は、前記回動体に形成された溝に収納自在であることを特徴とする請求項１０に記載の収納ケース。
【請求項１２】
前記請求項１〜１１のいずれか１項に記載の収納ケースと、
前記収納ケースの前記収納室に少なくとも前記挿入部が収納自在な内視鏡と、
を具備することを特徴とする内視鏡システム。
【請求項１３】
ケース本体の収納室に回動自在に設けられた回動体に巻回され、前記収納室において前記回動体に設けられた挿入部全体を、前記ケース本体に設けられた挿入部取り出し手段を介して、一度に取り出す手法を具備していることを特徴とする収納ケースからの挿入部取り出し方法。
【請求項１４】
ケース本体から外蓋を開成する手法と、
前記ケース本体の収納室に回動自在に設けられた回動体の前記ケース本体からの露出面に閉成された内蓋を取り外す手法と、
前記ケース本体に設けられた、前記収納室において前記回動体の前記外周面と該外周面に対向する前記ケース本体の部位との間に設けられた空隙に連通する取り出し溝を介して、前記ケース本体外から前記回動体の前記外周面に巻回された挿入部全体を把持し、該挿入部全体を前記ケース本体外に一度に取り出す手法と、
を具備していることを特徴とする収納ケースからの挿入部取り出し方法。
【発明の詳細な説明】
【技術分野】
【０００１】
本発明は、少なくとも内視鏡の挿入部が収納室に収納自在な収納ケース、内視鏡システム、収納ケースからの挿入部取り出し方法に関する。
【背景技術】
【０００２】
周知のように、内視鏡は、医療分野及び工業用分野において広く利用されている。医療用分野において利用されている内視鏡は、被検体である被検者の体腔内に細長の挿入部を挿入することによって、体腔内の被検部位の臓器を観察したり、必要に応じて、内視鏡の処置具挿通管路に挿通した処置具を用いて、被検部位に対して治療、処置等をしたりすることができる。
【０００３】
また、工業用分野において用いられる内視鏡は、内視鏡の細長い挿入部をジェットエンジン内や、工場の配管等の被検体内に挿入することによって、被検体内の被検部位の傷及び腐蝕等の観察や各種処置等を行うことができる。
【０００４】
ところで、工業用の内視鏡は、内視鏡が保管されている場所から、検査が行われる場所まで運搬されて用いられることから、運搬中に内視鏡が損傷してしまうことがないよう、内視鏡は収納ケースに収納されて運搬されるのが一般的である。
【０００５】
そこで、内視鏡の挿入部、操作部、ユニバーサルコード等が収納可能な構成を有する収納ケースが周知である。尚、収納ケースは、収納室を有するケース本体と、該ケース本体に対して開閉自在な蓋体とを有して構成されているのが一般的であり、挿入部は一定の長さを有することから、巻回されてコンパクトにケース本体の収納室に収納される。
【０００６】
ここで、内視鏡の種類によっては、挿入部の長さが、例えば１０ｍ以上と非常に長い挿入長を有する挿入部を具備する内視鏡も数多く存在する。このような挿入部の挿入長が長い内視鏡を収納ケースに収納する際、挿入部を巻回したとしても、挿入部が長いことから、収納室に挿入部をコンパクトに収納することができないといった問題があった。
【０００７】
このような問題に鑑み、特許文献１には、収納ケースのケース本体に設けられた収納室に回転自在な回転ドラムを設け、回転ドラムに設けられた溝に、内視鏡の操作部及びユニバーサルコードが収納自在であるとともに、回転ドラムの外周面に対し、挿入部が回転に伴い巻回自在なことにより、内視鏡を容易かつコンパクトに収納できる構成を有する収納ケースが開示されている。
【０００８】
また、特許文献２には、操作部から挿入部が取り外し自在な内視鏡において、取り外した挿入部を、収納ケースのケース本体に設けられた収納室に回転自在に設けられたドラム部の外周面に対して回転に伴い巻回自在なことにより、挿入部をコンパクトに収納できる収納ケースが開示されている。  
【先行技術文献】
【特許文献】
【０００９】
【特許文献１】特開平１０−５７２９９号公報
【特許文献２】特開２００４−１９８６５１号公報
【発明の概要】
【発明が解決しようとする課題】
【００１０】
しかしながら、特許文献１に開示された収納ケースにおいては、収納ケースから挿入部を取り出す際、回転ドラムの外周面から、収納の際とは逆の方向に回転ドラムを回転させて、挿入部を先端側から収納ケース外に送り出す構成を有していることから、挿入部全体を素早く取り出すことができないといった問題があった。
【００１１】
また、特許文献２に開示された収納ケースにおいては、収納ケースから挿入部を取り出す際、収納室からドラム部を取り出した後、ドラム部に設けられたフランジをドラム部から取り外して、ドラム部から挿入部を一気に取り出せる構成を有しているが、挿入部の取り出しに収納室からドラム部を取り出さなければならない他、ドラム部からフランジを取り外さなければならず、矢張り、挿入部全体を素早く取り出すことができないといった問題があった。
【００１２】
本発明は、上記問題点に鑑みてなされたものであり、収納室から素早く容易に、内視鏡の挿入部全体を取り出すことができる構成を有する収納ケース、内視鏡システム、収納ケースからの挿入部取り出し方法を提供することを目的とする。
【課題を解決するための手段】
【００１３】
上記目的を達成するために本発明による収納ケースは、少なくとも内視鏡の挿入部が収納室に収納自在な収納ケースであって、前記収納室を有するケース本体と、前記収納室に回動自在に設けられた、前記収納室に収納された前記挿入部が外周面に巻回される回動体と、前記収納室において前記回動体の前記外周面と該外周面に対向する前記ケース本体の部位との間に設けられた、前記回動体の前記外周面に巻回された前記挿入部が位置する空隙と、前記ケース本体に設けられた、前記内視鏡の内、少なくとも前記回動体の前記外周面に巻回された前記挿入部全体を、前記収納室の前記空隙から一度に前記ケース本体外に取り出す用の挿入部取り出し手段と、を具備したことを特徴とする。
【００１４】
また、内視鏡システムは、前記請求項１〜１１のいずれか１項に記載の収納ケースと、前記収納ケースの前記収納室に少なくとも前記挿入部が収納自在な内視鏡と、を具備することを特徴とする。
【００１５】
さらに、収納ケースからの挿入部取り出し方法は、ケース本体の収納室に回動自在に設けられた回動体の外周面に巻回され、前記収納室において前記回動体の前記外周面と該外周面に対向する前記ケース本体の部位との間に設けられた空隙に位置する挿入部全体を、前記ケース本体に設けられた挿入部取り出し手段を介して、一度に取り出す手法を具備していることを特徴とする。
【００１６】
また、収納ケースからの挿入部取り出し方法は、ケース本体から外蓋を開成する手法と、前記ケース本体の収納室に回動自在に設けられた回動体の前記ケース本体からの露出面に閉成された内蓋を取り外す手法と、前記ケース本体に設けられた、前記収納室において前記回動体の前記外周面と該外周面に対向する前記ケース本体の部位との間に設けられた空隙に連通する取り出し溝を介して、前記ケース本体外から前記回動体の前記外周面に巻回された挿入部全体を把持し、該挿入部全体を前記ケース本体外に一度に取り出す手法と、を具備していることを特徴とする。
【発明の効果】
【００１７】
本発明によれば、収納室から素早く容易に、挿入部全体を取り出すことができる構成を有する収納ケース、内視鏡システム、収納ケースからの挿入部取り出し方法を提供することができる。
【図面の簡単な説明】
【００１８】
【図１】本実施の形態の内視鏡システムの構成を示す斜視図
【図２】図１の内視鏡システムの収納ケースから内蓋を取り除いた状態を示す部分斜視図
【図３】図１の内視鏡システムの収納ケースの回動体に、内蓋を装着した状態を示す部分斜視図
【図４】図３の収納ケースのケース本体を、図３中のIV方向からみた側面図
【図５】図３中のV-V線に沿う収納ケースのケース本体の断面図
【図６】図１のケース本体の収納室に内視鏡が収納された状態において、回動体の外周面に巻回された挿入部の少なくとも一部が、収納室の壁面に接触している状態を示すケース本体の上面図
【図７】取り出し溝を介して挿入部が作業者に把持されることにより、挿入部の一部が、回動体の外周面に押し付けられた状態を示すケース本体の上面図
【図８】図７の取り出し溝を介して作業者が、ケース本体の収納室からケース本体外に挿入部全体を取り出した状態を示す部分斜視図
【図９】収納ケースから内視鏡全体を取り出す変形例を示す斜視図
【図１０】内視鏡システムの変形例を示す側面図
【図１１】図１０の内視鏡システムを、図１０中のXIの方向からみた斜視図
【図１２】図１０、図１１の内蓋の斜視図
【図１３】図１０の内蓋が、収納ケースのケース本体の収納室に装着された状態を示す内視鏡システムの側面図
【図１４】図１３の内視鏡システムを、図１３中のXIVの方向からみた上面図
【発明を実施するための形態】
【００１９】
以下、図面を参照して本発明の実施の形態を説明する。  
図１は、本実施の形態の内視鏡システムの構成を示す斜視図、図２は、図１の内視鏡システムの収納ケースから内蓋を取り除いた状態を示す部分斜視図、図３は、図１の内視鏡システムの収納ケースの回動体に、内蓋を装着した状態を示す部分斜視図である。
【００２０】
また、図４は、図３の収納ケースのケース本体を、図３中のIV方向からみた側面図、図５は、図３中のV-V線に沿う収納ケースのケース本体の断面図である。
【００２１】
図１、図２に示すように、内視鏡システム１００は、収納ケース５０と内視鏡１０とにより主要部が構成されている。
【００２２】
収納ケース５０は、ケース本体１と、該ケース本体１に対して開閉自在な外蓋２とにより主要部が構成されている。
【００２３】
ケース本体１には、外蓋２側から平面視した形状が、例えば円形の収納室３が形成されており、収納室３には、円柱形状を有する回動体４が、収納室３の底面に対して、ベアリングユニット７（図４、図５参照）により、ケース本体１の平面方向（以下、単に平面方向と称す）、即ち水平方向において、Ｐ１方向及びＰ２方向に回動自在に設けられている。
【００２４】
尚、回動体４の平面方向の径は、収納室３よりも小さく形成されている。また、収納室３の外蓋２側から平面視した形状は円形に限定されない。
【００２５】
また、回動体４は、図４に示すように、ケース本体１からの露出面（以下、上面と称す）４ｒが、ケース本体１の上面１ｒよりも高さ方向にｈだけ突出して位置するよう、収納室３に設けられている。
【００２６】
また、回動体４の上面４ｒには、内視鏡１０の挿入部１３の基端側に接続された操作部１２と、該操作部１２が図示しないユニバーサルコードを介して接続された、例えば表示モニタを有する装置本体１１が収納自在な溝４ｍが形成されている。
【００２７】
溝４ｍに対して操作部１２、装置本体１１は、図５に示すように、溝４ｍの底部に操作部１２が収納された後、該操作部１２上に、装置本体１１が収納されるようになっている。収納後、装置本体１１の上面は、回動体４の上面４ｒよりも高さ方向に低く位置している。
【００２８】
尚、溝４ｍに対して、装置本体１１及び操作部１２は、操作部１２に対して装置本体１１がユニバーサルコードによって連結された状態で収納されても構わない。さらに、装置本体１１及び操作部１２は、回動体４に形成された溝４ｍに限らず、ケース本体１に、収納室３とは別途に形成された溝に収納自在な構成であっても構わない。
【００２９】
さらに、図４に示すように、回動体４の外周面４ｇには、収納室３に収納された内視鏡１０の挿入部１３が巻回される。尚、回動体４の外周面４ｇは、ウレタン等の低摩擦部材から構成されている。即ち、外周面４ｇ自体がウレタン等の低摩擦部材から形成されているか、外周面４ｇにウレタン等の低摩擦部材が貼着されているかによって、外周面４ｇは構成されている。さらに、外周面４ｇは、該外周面４ｇに対向するケース本体１の部位、即ち収納室３の壁面１ｎよりも摩擦係数が低い部材から構成されている。
【００３０】
また、上述したように、回動体４の平面方向の径が、収納室３よりも小さく形成されていることにより、図１、図２に示すように、収納室３において、回動体４の外周面４ｇと収納室３の壁面１ｎとの間には、回動体４の外周面４ｇに巻回された挿入部１３が高さ方向に整列して位置する空隙６が設けられている。
【００３１】
尚、空隙６の該空隙６を外蓋２側から平面視した状態の幅、即ち、平面方向の幅Ｍ（図２参照）は、挿入部１３の径Ｒ（図５参照）以上であって、挿入部１３の２倍の径Ｒ以下に設定されている（Ｒ≦Ｍ≦２Ｒ）。このことにより、空隙６に位置する回動体４の外周面４ｇに巻回された挿入部１３が、空隙６内において、平面方向に並んで巻回されてしまうことがない。
【００３２】
また、図１、図２、図５に示すように、回動体４には、溝４ｍと空隙６とを連通する、溝４ｍに収納された操作部１２から回動体４の外周面４ｇまで挿入部１３を延出する用の、挿入部引き出し溝４ｈが形成されている。
【００３３】
さらに、図１、図３に示すように、回動体４の上面４ｒに対して、例えば円形の内蓋２０が着脱自在となっている。尚、内蓋２０は、外蓋２側から平面視した状態における平面方向の面積が、回動体４に空隙６を加えた面積よりも大きく形成されている。即ち、内蓋２０の径は、収納室３の径よりも大きく形成されている。
【００３４】
尚、内蓋２０を回動体４の上面４ｒに装着した状態において、平面方向において、回動体４よりも外側に飛び出した内蓋２０の部位は、回動体４の外周面４ｇに巻回された挿入部１３の空隙６からの飛び出しを規制する機能を有している。
【００３５】
また、内蓋２０の回動体４の上面４ｒの対向する面２０ｔに、溝４ｍに嵌入する凸部２１が設けられている。尚、溝４ｍにおいて、装置本体１１及び操作部１２の収納後、装置本体１１の上面が回動体４の上面４ｒよりも高さ方向に低く位置しているのは、溝４ｍに、凸部２１が嵌入する空間を確保するためである。
【００３６】
凸部２１は、溝４ｍに沿った平面形状を有している。さらに、内蓋２０の面２０ｔと反対側の上面２０ｒに、図３〜図５に示すように、ハンドル２２が設けられている。尚、外蓋２の内蓋２０に対向する面２ｔにおけるケース本体１に対して外蓋２を閉成した際、ハンドル２２が当接する部位には、ハンドル２２が嵌入自在な溝２ｈが形成されている。
【００３７】
内蓋２０が回動体４の上面４ｒに装着された際、ハンドル２２が作業者によって把持され、Ｐ１またはＰ２方向に回転されると、凸部２１が溝４ｍに嵌入していることにより、溝４ｍに対する凸部２１の引っ掛かりにより、凸部２１が滑り止めとして機能することによって回動体４はＰ１またはＰ２方向に回転する。
【００３８】
よって、溝４ｍに装置本体１１及び操作部１２が収納され、挿入部引き出し溝４ｈに挿入部１３が嵌入され、回動体４の上面４ｒに内蓋２０が閉成された状態で、ハンドル２２が用いられて回動体４がＰ１方向に回転されることにより、収納ケース５０外に位置している挿入部１３は、図４、図５に示すように、ケース本体１の上面１ｒと内蓋２０との間に形成された高さ方向における空間８から空隙６内に引き込まれ、回動体４の外周面４ｇに巻回されるようになっている。
【００３９】
尚、ケース本体１の上面１ｒよりも、回動体４の上面４ｒが高さ方向にｈだけ突出して位置しているのは、ケース本体１の上面１ｒと上面４ｒに装着された内蓋２０との間に、空隙６に対する挿入部１３の引き込み空間８を確保するためである。
【００４０】
また、ケース本体１における収納室３よりも平面方向外側において、互いに平面方向において回動体４を挟んで対向する位置に、空隙６に連通する挿入部取り出し手段である取り出し溝５がそれぞれ形成されている。尚、取り出し溝５の深さは、収納室３の深さと略同じ深さに形成されている。
【００４１】
取り出し溝５は、回動体４の外周面４ｇに巻回された挿入部１３全体を、空隙６からケース本体１外に一度に取り出すための溝であり、作業者の手が入る大きさにそれぞれ形成されている。
【００４２】
また、図３に示すように、取り出し溝５は、回動体４の上面４ｒに内蓋２０が装着されても塞がれてしまうことがない。
【００４３】
次に、このように構成された収納ケース５０のケース本体１の収納室３に対する内視鏡１０の収納方向について説明する。
【００４４】
先ず、作業者は、内視鏡１０を収納ケース５０に収納する際は、図１に示すように、収納ケース５０のケース本体１から外蓋２を開成し、図２に示すように、回動体４の上面４ｒから内蓋２０を脱却する。
【００４５】
その後、作業者は、回動体４の溝４ｍに、操作部１２を収納するとともに、操作部１２上に装置本体１１を収納する。尚、溝４ｍへの操作部１２及び装置本体１１の収納は、操作部１２に装置本体１１をユニバーサルコードによって連結された状態で行っても構わない。
【００４６】
次いで、作業者は、溝４ｍに収納された操作部１２から挿入部１３を、挿入部引き出し溝４ｈに嵌入させる。この際、溝４ｈ外に位置する挿入部１３は、空隙６を介して、ケース本体１外に位置している。
【００４７】
次いで、作業者は、図３に示すように、回動体４の上面４ｒに対して内蓋２０を装着する。この際、内蓋２０の面２０ｔに形成された凸部２１は、溝４ｍに嵌入する。
【００４８】
その後、作業者は、片方の手で挿入部１３をガイドしながら、内蓋２０を、回動体４の上面４ｒに押し付けた状態でハンドル２２をＰ１方向に回転させる。その結果、図５に示すように、挿入部１３は、ケース本体１の上面１ｒと内蓋２０の高さ方向の空間８から、空隙６内に進入し、回動体４の外周面４ｇに、重力によって、収納室３の底部側から自動的に整列されてスムーズに巻回されていく。
【００４９】
この際、空隙６の平面方向の幅Ｍ（図２参照）は、挿入部１３の径Ｒ（図５参照）以上であって、挿入部１３の２倍の径Ｒ以下に設定されている（Ｒ≦Ｍ≦２Ｒ）ことから、空隙６に位置する回動体４の外周面４ｇに巻回された挿入部１３が、空隙６内において、平面方向に並んで巻回されてしまうことがない。即ち、挿入部１３が平面方向に重なった状態で巻回されてしまうことがない。
【００５０】
また、回動体４の外周面４ｇが低摩擦部材から構成されていることにより、外周面４ｇに巻回される挿入部１３がより重力方向に落ちやすくなっている。また、挿入部１３の巻回中、平面方向に回動体４から飛び出した内蓋２０の部位は、挿入部１３が空隙６から高さ方向上方に飛び出てしまうことを防いでいる。このため、より挿入部１３が重力方向に落ちやすくなっている。
【００５１】
図４に示すように、全ての挿入部１３の巻回が終了したら、作業者は、回動体４の上面４ｒに内蓋２０が装着された状態において、ケース本体１に対して、外蓋２を閉成する。これで、収納ケース５０に対する内視鏡１０の収納は完了する。
【００５２】
尚、収納後、回動体４の外周面４ｇに巻回された挿入部１３は、挿入部１３が有する剛性によって、巻回が少しほどけた状態となる。即ち、後述する図６に示すように、巻回状態で、挿入部１３の少なくとも一部が外周面４ｇから離間し、収納室３の壁面１ｎに接触する。
【００５３】
この際、回動体４の外周面４ｇが低摩擦部材から構成されていることにより、挿入部１３は外周面４ｇから離間しやすくなっている他、壁面１ｎは、外周面４ｇよりも摩擦係数の高い部材から構成されていることにより、本構成においては、挿入部１３の先端部を機械的に固定しなくとも、挿入部１３の先端が壁面１ｎに接触することによりその位置が固定される。
【００５４】
その結果、回動体４が回動し難くなっていることから、収納ケース５０の運搬中に不意に回動体４が回動してしまうことがなく、該回動に伴う挿入部１３の破損を防止することができるようになっている。
【００５５】
次に、収納ケース５０に収納された内視鏡１０の取り出し方法について、上述した図１〜図５と、図６〜図８を用いて説明する。
【００５６】
図６は、図１のケース本体の収納室に内視鏡が収納された状態において、回動体の外周面に巻回された挿入部の少なくとも一部が、収納室の壁面に接触している状態を示すケース本体の上面図、図７は、取り出し溝を介して挿入部が作業者に把持されることにより、挿入部の一部が、回動体の外周面に押し付けられた状態を示すケース本体の上面図、図８は、図７の取り出し溝を介して作業者が、ケース本体の収納室からケース本体外に挿入部全体を取り出した状態を示す部分斜視図である。
【００５７】
尚、図８においては、装置本体１１、操作部１２は、省略して示してある。また、図６、図７においては、回動体４の外周面４ｇに低摩擦部材４０が貼着されている。
【００５８】
収納ケース５０から、内視鏡１０を取り出す際は、作業者は、先ず、図３に示すように、ケース本体１から外蓋２を開成し、次いで、図１に示すように、回動体４の上面４ｒから、内蓋２０を脱却する。この状態においては、図６に示すように、回動体４の外周面４ｇに巻回された挿入部１３の少なくとも一部は、上述したように、収納室３の壁面１ｎに接触している。
【００５９】
次いで、作業者は、回動体４の溝４ｍから、装置本体１１及び操作部１２、ユニバーサルコードを取り出す。その後、作業者は、ケース本体１の２つの取り出し溝５にそれぞれ手７０を突っ込み、各親指で、一番上段に巻回されている挿入部１３を把持するとともに、残りの４本の指で、一番下段に巻回されている挿入部１３を把持し、挿入部１３全体を把持した状態で、挿入部１３を持ち上げる。
【００６０】
このとき、図７に示すように、手７０により把持された挿入部１３の部位１３ａは、該部位１３ａが支点となって持ち上げられることから、変形して平面方向外側方向Ｓ１に広がるとともに、手７０により把持された挿入部１３の部位１３ａとそれぞれ９０°異なる各対向する部位１３ｂは、部位１３ａの変形に伴い、平面方向内側方向Ｓ２に押し付けられて、回動体４の外周面４ｇに設けられた低摩擦部材４０に巻き付く。
【００６１】
この部位１３ｂが低摩擦部材４０に押し付けられた状態において、作業者は、図８に示すように、挿入部１３全体を上方に持ち上げ、空隙６から挿入部１３全体を、ケース本体１外に取り出す。
【００６２】
この際、低摩擦部材４０によって、挿入部１３の部位１３ｂに対する滑り性が良くなっているため、容易に、回動体４の外周面４ｇに巻き付いている挿入部１３全体を、空隙６から、ケース本体１外に一度に取り出すことができる。
【００６３】
このようにして、収納ケース５０から、内視鏡１０が取り出される。尚、回動体４の外周面４ｇは、低摩擦部材４０が設けられていなくとも、上述したように、低摩擦部材から形成されていれば、同様の効果を得ることができる。
【００６４】
また、収納ケース５０からの内視鏡１０の取り出し方法として、先ず、装置本体１１及び操作部１２を取り出し、その後、挿入部１３全体を取り出すと示したが、これに限らず、挿入部１３全体を取り出した後、装置本体１１及び操作部１２を取り出しも構わない。
【００６５】
このように、本実施の形態においては、ケース本体１の収納室３に、外周面４ｇに挿入部１３が巻回されて収納される回動体４が設けられているとともに、ケース本体１に、回動体４の外周面４ｇと収納室３の壁面１ｎとの間の空隙６に連通する取り出し溝５が、それぞれ平面方向に回動体４を挟んで対向する位置に形成されていると示した。
【００６６】
このことによれば、作業者は、収納ケース５０から挿入部１３を取り出す際、各取り出し溝５に手７０を突っ込んで、挿入部１３を把持し、挿入部１３を持ち上げるのみで、挿入部１３全体を、一度にケース本体１外に取り出すことができる。また、取り出し溝５が互いに対向する位置に形成されていることから、作業者は、挿入部１３全体を把持しやすくなっている。
【００６７】
また、本実施の形態においては、回動体４の外周面４ｇは、低摩擦部材から構成されていると示した。
【００６８】
このことによれば、収納ケース５０から挿入部１３を取り出す際、取り出し溝５に手を突っ込んで、挿入部１３の部位１３ａを支点として把持して持ち上げると、部位１３ｂは、回動体４の外周面４ｇに押し付けられてしまうが、外周面４ｇが滑り性の良い部材から構成されていることから、挿入部１３を持ち上げる際、外周面４ｇに対して挿入部１３の部位１３ｂを滑らせながら、容易に、挿入部１３全体を、一度にケース本体１外に取り出すことができる。
【００６９】
さらに、回動体４の外周面４ｇが、低摩擦部材から構成されていることにより、外周面４ｇに挿入部１３を巻回後、挿入部１３は、外周面４ｇから離れやすくなり、壁面１ｎ側に接触しやすくなることから、挿入部１３は外周面４ｇから離間するため、作業者は、挿入部１３を持ち上げやすくなる。
【００７０】
また、挿入部１３が位置する空隙６の平面方向の幅Ｍは、挿入部１３の径Ｒ以上であって、挿入部１３の２倍の径Ｒ以下に設定されている（Ｒ≦Ｍ≦２Ｒ）ことから、空隙６に位置する回動体４の外周面４ｇに巻回された挿入部１３が、空隙６内において、平面方向に並んで巻回されてしまうことがないため、作業者は、挿入部１３を持ち上げやすくなる。
【００７１】
また、本構成においては、挿入部１３の先端を、収納室３の壁面１ｎに接触させて固定するのみで、特に、機械的に固定しないことから、挿入部１３の先端を解除する作業が不要となるため、容易かつ迅速に挿入部１３を取り出すことができる。
【００７２】
以上より、収納室３から素早く容易に、挿入部１３全体を取り出すことができる構成を有する収納ケース５０、内視鏡システム１００、収納ケース５０からの挿入部取り出し方法を提供することができる。
【００７３】
尚、以下、変形例を、図９を用いて示す。図９は、収納ケースから内視鏡全体を取り出す変形例を示す斜視図である。
【００７４】
上述した本実施の形態においては、収納ケース５０のケース本体１の収納室３において、回動体４に形成された溝４ｍから装置本体１１及び操作部１２、ユニバーサルコードを取り出した後、回動体４の外周面４ｇに巻回されている挿入部１３全体を空隙６から一度に取り出す、または挿入部１３全体を一度に取り出した後、装置本体１１及び、操作部１２ユニバーサルコードを取り出すと示した。
【００７５】
これに限らず、図９に示すように、ケース本体１’に対して外蓋２’が開閉自在な収納ケース５０’において、ケース本体１’に形成された収納室３’に設けられた回動体４’の上面に位置する装置本体１１と、回動体４’の外周面４ｇ’に巻回され空隙６’に位置する挿入部１３を、作業者の片手７０により、取り出し溝５’を介して一度に収納室３’から取り出し可能とする構成を、収納ケース５０’は有していても構わない。
【００７６】
勿論、もう片方の手７０により、ケース本体１’に形成された溝９０から操作部１２及びユニバーサルコード１４を、取り出し溝５’を介して一度に取り出す構成を収納ケース５０’は有していても良く、即ち、内視鏡全体を、一度に収納ケース５０’から取り出す構成を、収納ケース５０’は有していても構わない。
【００７７】
また、本実施の形態においては、回動体４が、収納室３の水平方向に対して回動自在であると示した、即ち、収納ケース５０が横置きであって、回動体が横回転する収納ケース５０を例に挙げて示したが、これに限らず、回動体が水平方向に直交する垂直方向に対して回動自在な構成を有する収納ケース、即ち、収納ケースが縦置きであって、回動体が縦回転する収納ケースに適用しても本実施の形態と同様の効果を得ることができる。
【００７８】
また、本実施の形態においては、空隙６は、回動体４の外周面４ｇと、収納室３の壁面１ｎとの間に設けられていると示したが、これに限らず、回動体４の外周面４ｇと、収納室３内に配置された部材との間に設けられていても構わない。
【００７９】
さらに、本実施の形態においては、装置本体１１も内視鏡１０を構成する部材として示したが、これに限らず、装置本体１１が、内視鏡１０とは別途に設けられた構成であっても適用することが可能となる。
【００８０】
ところで、内視鏡システムとしては、上述した実施の形態に限らず、図１０〜図１４に示す構成も考えられる。
【００８１】
図１０は、内視鏡システムの変形例を示す側面図、図１１は、図１０の内視鏡システムを、図１０中のXIの方向からみた斜視図、図１２は、図１０、図１１の内蓋の斜視図、図１３は、図１０の内蓋が、収納ケースのケース本体の収納室に装着された状態を示す内視鏡システムの側面図、図１４は、図１３の内視鏡システムを、図１３中のXIVの方向からみた上面図である。
【００８２】
図１０、図１１に示すように、本構成においては、内視鏡システム２００は、収納ケース２５０と内視鏡１０とにより主要部が構成されている。
【００８３】
収納ケース２５０は、ケース本体２０１と、該ケース本体２０１に対して開閉自在な外蓋２０２とにより主要部が構成されている。
【００８４】
ケース本体２０１には、外蓋２０２側から平面視した形状が、例えば円形の収納室２０３が形成されており、収納室２０３には、円柱形状を有する回動体２０４が、収納室２０３の底面に対して、図示しないベアリングユニットにより、ケース本体２０１の平面方向、即ち水平方向において、Ｐ１方向及びＰ２方向に回動自在に設けられている。尚、収納室２０３の外蓋２０２側から平面視した形状は円形に限定されない。
【００８５】
また、回動体２０４は、図１１に示すように、上面２０４ｒが、ケース本体２０１の上面２０１ｒよりも高さ方向に低く位置するよう、収納室２０３に設けられている。
【００８６】
また、回動体２０４の上面２０４ｒには、内視鏡１０の挿入部１３の基端側に接続された操作部１２が図示しないユニバーサルコードを介して接続された、例えば表示モニタを有する装置本体１１が収納自在な溝２０４ｍが形成されている。
【００８７】
溝２０４ｍに対して操作部１２、装置本体１１は、溝２０４ｍに装置本体１１が収納された後、該装置本体１１上に、操作部１２が載置されるようになっている。収納後、操作部１２は、回動体２０４の上面２０４ｒよりも高さ方向に高く位置している。即ち、操作部１２は、収納室２０３において、溝２０４ｍから高さ方向における外蓋２０２側に突出して位置する。尚、溝２０４ｍに対して、装置本体１１は、操作部１２がユニバーサルコードによって連結された状態で収納されても構わない。
【００８８】
また、収納室２０３の内周面２０３ｎにおいて、回動体２０４の上面２０４ｒよりも高さ方向に高く位置している領域には、図１１に示すように、溝２０４ｍに、装置本体１１及び操作部１２が収納された後、回動体２０４がＰ１方向に巻回されることによって、挿入部１３が高さ方向に重なるよう巻回されて収納されるようになっている。尚、挿入部１３は、回動体２０４の上面２０４ｒに接触し、該上面２０４ｒから内周面２０３ｎに巻回される。
【００８９】
ここで、図１１に示すように、ケース本体２０１の収納室２０３には、図１１、図１２に示す内蓋２２０が着脱自在となっている。尚、内蓋２２０は、図示しないベルト等によって、ケース本体２０１に固定されている。
【００９０】
内蓋２２０には、図１１、図１２に示すように、操作部１３の外形形状に沿った孔２２０ｈ１と、孔２２０ｈ２とが形成されている。また、図１１に示すように、内蓋２２０の収納室２０３側の面２２０ｔには、ケース本体２０１側に突出する凸部２２０ｄが形成されている。
【００９１】
孔２２０ｈ１は、図１１に示すように、回動体２０４の溝２０４ｍに、装置本体１１及び操作部１２が収納され、内周面２０３ｎに挿入部１３が巻回された状態で、図１３、図１４に示すように、内蓋２０４が収納室２０３に対して閉成された後、操作部１２をケース本体２０１から露出させるとともに、収納室２０３内において溝２０４ｍから突出して位置する操作部１２の位置決めを行うものである。また、孔２２０ｈ２は、収納室２０３から内蓋２０４を取り外しやすくするよう、作業者の手が挿入されるものである。
【００９２】
さらに、内蓋２２０の面２２０ｔは、内蓋２２０が収納室２０３に対して装着された後、巻回されて位置する挿入部１３を、収納室２０３の底面側に押さえることにより、挿入部１３の収納室２０３からの飛び出しを防止する機能を有している。
【００９３】
また、凸部２２０ｄは、内蓋２２０が収納室２０３に対して装着された後、溝２０４ｍに対して装置本体１１を収納室２０３の底部側に押し付けて、溝２０４ｍに確実に装置本体１１を収納させる機能を有している。
【００９４】
尚、このような構成を有する収納ケース２５０から内視鏡１０を取り出す際は、図１４に示すように、作業者は、先ずケース本体２０１に対して外蓋２０２を開成した後、孔２２０ｈ２に手を挿入して、図１１に示すように、収納室１３から内蓋２２０を取り外す。
【００９５】
その後、作業者は、両手を収納室２０３内に挿入した後、該挿入した両手で、内周面２０３ｎに巻回された挿入部１３を、ケース本体２０１外に一度に取り出す。その後、作業者は、溝２０４ｍから、操作部１２及び装置本体１１を取り出す。
【００９６】
よって、以上のような内視鏡システム２００の構成によっても、上述した本実施の形態と同様の効果を得ることができる。
【００９７】
尚、本実施の形態においては、工業用の内視鏡を例に挙げて示したが、これに限らず、医療用の内視鏡の収納ケースにも適用できるということは勿論である。
【符号の説明】
【００９８】
１…ケース本体
１ｒ…ケース本体の上面（露出面）
１ｎ…収納室の壁面
２…外蓋
３…収納室
４…回動体
４ｇ…回動体の外周面
４ｍ…回動体の溝
４ｒ…回動体の上面（露出面）
５…取り出し溝（取り出し手段）
６…空隙
１０…内視鏡
１１…装置本体
１２…操作部
１３…挿入部
２０…内蓋
２０ｒ…内蓋の上面（露出面）
２２…ハンドル
５０…収納ケース
１００…内視鏡システム
Ｍ…空隙の幅
Ｒ…挿入部の径
【図１】
2011143016.tif 000003
【図２】
2011143016.tif 000004
【図３】
2011143016.tif 000005
【図４】
2011143016.tif 000006
【図５】
2011143016.tif 000007
【図６】
2011143016.tif 000008
【図７】
2011143016.tif 000009
【図８】
2011143016.tif 000010
【図９】
2011143016.tif 000011
【図１０】
2011143016.tif 000012
【図１１】
2011143016.tif 000013
【図１２】
2011143016.tif 000014
【図１３】
2011143016.tif 000015
【図１４】
2011143016.tif 000016